(57)【要約】【課題】  収差の発生を低く抑えるとともに、光学系システム全体としての小型化に適したホログラム型再生装置を提供する。【解決手段】  参照光Ｌ２を平行光とする変換レンズ１２として、順メニスカスレンズを用いると、このレンズは主点Ｑを射出面１２ａ側に有するため、光源１１と変換レンズ１２の主点Ｑとの間に前記変換レンズ１２を配置することが可能となる。よって、光源１１と反射ミラー１３までの距離を短縮することができるため、ホログラム型再生装置１０の光学系システムを小型化することが可能となる。【選択図】図１
2006343567.tif 000002
【特許請求の範囲】
【請求項１】
二以上のレーザー光放射領域がアレイ状に配置されてなる光源と、前記光源から放射されたレーザ光を平行な参照光に変換する変換レンズと、前記参照光がデータ情報を多重記録した記録媒体に対して所定の入射角となるように調整して出力する参照光調整手段と、前記記録媒体から再生されるホログラム情報を読み取って電気信号に変換するデータ再生手段と、を備え、
前記変換レンズを中心として前記光源が設けられた側を入射側、前記参照光調整手段が設けられた側を射出側としたときに、前記変換レンズは、その主点を前記射出側に向けた姿勢で設けられていることを特徴とするホログラム型再生装置。
【請求項２】
前記参照光調整手段が、反射ミラーと、前記反射ミラーの角度を少なくとも１軸回りに揺動させることが可能な駆動手段とを有することを特徴とする請求項１記載のホログラム型再生装置。
【請求項３】
前記変換レンズは、前記射出側が凸面で形成され、前記入射側が平面又は凹面で形成された順メニスカスレンズであることを特徴とする請求項１または２記載のホログラム型再生装置。
【請求項４】
前記凹面と凸面の少なくとも一方が非球面で形成されていることを特徴とする請求項３記載のホログラム型再生装置。
【請求項５】
レンズの中央が周辺部側よりも厚い凸型であることを特徴とする請求項１ないし４のいずれか一項に記載のホログラム型再生装置。
【請求項６】
前記光源が、複数のレーザ発光手段を一直線上に並べた1次元アレイ型、または平面上に並べた２次元アレイ型であることを特徴とする請求項１ないし５のいずれか一項に記載のホログラム型再生装置。
【請求項７】
前記レーザ発光手段の光軸上に、レーザ光の放射角を広げるマイクロレンズが設けられていることを特徴とする請求項６記載のホログラム型再生装置。
【請求項８】
前記マイクロレンズが平凹レンズであることを特徴とする請求項７記載のホログラム型再生装置。
【請求項９】
光源と変換レンズとが固定される固定基台が設けられており、前記固定基台には、前記光源の光軸中心と前記変換レンズの光軸とを一致させた状態で、前記光源または前記変換レンズの少なくとも一方が前記光軸方向に沿って移動可能に保持されていることを特徴とする請求項１記載のホログラム型再生装置。
【請求項１０】
前記光源が、複数のレーザ発光手段が設けられたベース基台と、前記レーザ発光手段に対向する複数のマイクロレンズを備えた補助基台とからなる光源ユニットとして形成されており、
前記マイクロレンズが前記ベース基台に設けられたレーザ発光手段の各軸上に配置されるように、前記補助基台が前記ベース基台に位置決めされた状態で固定されていることを特徴とする請求項１の記載のホログラム型再生装置。
【発明の詳細な説明】
【技術分野】
【０００１】
本発明は、ホログラフィ記録媒体に多重記録されたデータ情報の記録および／または再生を行うホログラム型再生装置に関する。
【背景技術】
【０００２】
従来のホログラム型再生装置は、コリメータレンズをこのレンズの光軸に対し直交する方向へ移動させることにより、記録媒体上の異なる位置に情報の記録を行うことができ、また前記記録媒体に記録された情報を読み出せるようになっている（例えば、特許文献１参照）。
【０００３】
上記特許文献１に示すようなホログラム型再生装置では、コリメータレンズを前記直交方向に移動させると、レーザ光の中心線がレンズの光軸に対し傾くことに起因する像高（物体高）が発生し、結果として収差が大きくなってホログラムを正確に再生することが難しくなる。
【０００４】
そこで、従来は、例えば図８に示すようなレンズの凸面が光源側を向く逆メニスカス型のコリメータレンズ１が採用されている（例えば、特許文献２）。この場合、前記コリメータレンズ１を前記直交方向（Ｘ方向）に移動させて前記像高がある程度大きくなる場合であっても、前記収差を所望のレベル以下に抑えることが可能となる。
【特許文献１】特開２００５−０３２３０６号公報
【特許文献２】特開平１１−１２０６１０号公報
【発明の開示】
【発明が解決しようとする課題】
【０００５】
しかし、図８に示すように、上記のような逆メニスカス型のコリメートレンズ１は、入射面１ａにおいて一度レンズの光軸方向に絞られたビーム径が、射出面１ｂから射出するときに前記光軸２から離れる方向に拡大させられることで平行光に変換させられる構成であるため、コリメートレンズ１の外径が大きくなりやすい。このためコリメートレンズ１を前記直交方向に移動させる駆動系の機構が大型化しやすく、さらには消電力化も困難であるという問題がある。
【０００６】
また主点（レンズに入射する光（延長線を含む）とレンズから射出する光（延長線を含む）の交点から光軸に下ろした垂線が前記光軸と交わる点）３の位置がコリメートレンズ１の入射面１ａよりも前側焦点４の側に位置し、常にコリメートレンズ１が焦点距離Ｗ０の外側（図では右側）に位置することになる。このため、光学系システム全体としての小型化が難しいという問題を有している。
【０００７】
本発明は上記従来の課題を解決するためのものであり、収差の発生を低く抑えることができるとともに、光学系システム全体としての小型化及び消費電力の低減に適したホログラム型再生装置を提供することを目的としている。
【課題を解決するための手段】
【０００８】
本発明は、レーザー光放射領域がアレイ状に配置されてなる光源と、前記光源から放射されたレーザ光を平行な参照光に変換する変換レンズと、前記参照光がデータ情報を多重記録した記録媒体に対して所定の入射角となるように調整して出力する参照光調整手段と、前記記録媒体から再生されるホログラム情報を読み取って電気信号に変換するデータ再生手段と、を備え、
前記変換レンズを中心として前記光源が設けられた側を入射側、前記参照光調整手段が設けられた側を射出側としたときに、前記変換レンズは、その主点を前記射出側に向けた姿勢で設けられていることを特徴とするものである。
【０００９】
上記において、前記参照光調整手段が、反射ミラーと、前記反射ミラーの角度を少なくとも１軸回りに揺動させることが可能な駆動手段とを有することが好ましい。
【００１０】
上記手段では、例えば２軸回りに反射ミラーを揺動させると、参照光の光軸の向きを例えば記録媒体の板厚方向に変えることが可能となる。このため、変換レンズを記録媒体に近づけた実装配置が可能となるため、薄型のホログラム型再生装置を提供できるようになる。
【００１１】
前記変換レンズは、前記射出側が凸面で形成され、前記入射側が平面又は凹面で形成された順メニスカスレンズであることを特徴とするものが好ましい。
【００１２】
上記手段では、光源と変換レンズの主点との間に前記変換レンズを配置することができ、光源と反射ミラーまでの距離を短縮することができるため、光学系を形成するシステム全体を小型化することが可能となる。
【００１３】
また前記凹面と凸面の少なくとも一方が非球面で形成されていることが好ましく、さらには前記凹面と凸面とがガラス製の単レンズであることが好ましい。
【００１４】
上記手段では、収差レベルを所定の動作温度範囲において一定のレベル以下に抑えることが可能となる。また容易且つ安価に製造することができる。
【００１５】
さらには、レンズの中央が周辺部側よりも厚い凸型であることを特徴とするものである。
すなわち、凸（正）のメニスカスレンズを用いることができる。
【００１６】
また前記光源が、複数のレーザ発光手段を一直線上に並べた1次元アレイ型、または平面上に並べた２次元アレイ型であることを特徴とする。
【００１７】
上記手段では、レーザ発光手段の配置を２次元アレイ型にすると、1次元アレイ型の配置に比べて、レンズの像高を抑えることができる。よって、他のレーザに切り換えても、すなわちいずれのレーザーを使用しても発生する収差を低く抑えることが可能となる。
【００１８】
また前記レーザ発光手段の光軸上に、レーザ光の放射角を広げるマイクロレンズが設けられていることが好ましい。
【００１９】
上記手段では、ビーム径（ビームの半値全幅）が小さな面発光レーザであっても、ビームを整形して参照光の強度分布を均一なものとすることができる。
例えば、前記マイクロレンズが平凹レンズである。
【００２０】
また光源と変換レンズとが固定される固定基台が設けられており、前記固定基台には、前記光源の光軸中心と前記変換レンズの光軸とを一致させた状態で、前記光源または前記変換レンズの少なくとも一方が前記光軸方向に沿って移動可能に保持されていることを特徴とする。
【００２１】
上記手段では、変換レンズの焦点位置に光源が位置するように微調整することができるため、参照光のデフォーカス成分を極小にすることができ、データ情報の再生に影響を与えないホログラム型再生装置を提供することができる。
【００２２】
前記光源が、複数のレーザ発光手段が設けられたベース基台と、前記レーザ発光手段に対向する複数のマイクロレンズを備えた補助基台とからなる光源ユニットとして形成されており、
前記マイクロレンズが前記ベース基台に設けられたレーザ発光手段の各軸上に配置されるように、前記補助基台が前記ベース基台に位置決めされた状態で固定されていることが好ましい。
【００２３】
上記手段では、あらかじめ複数のレーザ発光手段とこれに対応する前記マイクロレンズとが微調整された状態でユニット化されているため、その後の組み立て作業や調整を容易化することができ、結果として安価なホログラム型再生装置を提供することが可能となる。
【発明の効果】
【００２４】
本発明では、レーザ光を平行にする変換レンズの外形を小さくすること、および焦点距離を短縮することができるため、光学系のシステムを全体として小型化することができる。
【００２５】
また像高を低く抑えることが可能となるため、変換レンズから出力される参照光の収差を低く抑えることが可能となる。
【発明を実施するための最良の形態】
【００２６】
図１は本発明における実施の形態として、ホログラム型再生装置の概略を示す構成図、図２は本発明の主要部としての変換レンズの説明図である。なお、図１のホログラム型再生装置は透過型記録媒体の再生機構を示している。
【００２７】
図１に示すように、本発明のホログラム型再生装置１０は、主として光源１１、変換レンズ（コリメートレンズ）１２、反射ミラー１３、ミラー駆動手段１４および再生手段１５などからなる光学系のシステムで構成されている。
【００２８】
前記光源１１は、例えば垂直共振器面発光レーザ（以下、ＶＣＳＥＬ（Vertical Cavity Surface Emitting Laser）という）などレーザー光放射領域がアレイ状に配置されたレーザ発光手段で構成されている。このようなものとしては、例えば後述するような複数のレーザ発光手段が直線上に並べられた１次元アレイまたは平面的に並べられた２次元アレイとして構成されたものがある。
【００２９】
前記変換レンズ１２および反射ミラー１３は、前記光源１１の光路上に設けられている。前記反射ミラー１３はミラー駆動手段１４に設けられており、少なくとも１軸（図１ではＺ軸）に対し図示α１方向およびα２方向に揺動自在に支持されている。前記ミラー駆動手段は、例えば電磁駆動手段等を用いることにより前記反射ミラー１３の角度（入射角および反射角）を微調整できるようになっている。すなわち、前記反射ミラー１３とミラー駆動手段１４とにより、いわゆるガルバノミラーが構成されている。
【００３０】
前記変換レンズ１２は、前記光源１１と反射ミラー１３との間に設けられている。前記変換レンズ１２は前記光源１１から入射したレーザ光（発散光）Ｌ１を平行な光からなる参照光Ｌ２に変換するものであり、前記参照光Ｌ２は反射ミラー１３に向けて出力されるようになっている。
【００３１】
次に、前記変換レンズ１２で平行な光に変換された前記参照光Ｌ２は、前記反射ミラー１３において反射させられ、参照光Ｌ３として記録媒体２０上の所定の位置を照光する。
【００３２】
このとき、前記反射ミラー１３は、前記反射ミラー駆動手段１４によって前記記録媒体２０上の所定の位置を照光することができるように角度調整されている。このため、前記反射ミラー１３から出力された前記参照光Ｌ３は前記反射層２２において反射させられ、記録媒体２０の外部に再生光Ｌ４として出力されるようになっている。
【００３３】
この実施の形態に示す記録媒体２０はいわゆる反射型記録媒体であり、干渉縞を記録することが可能な記録層２１の下部に反射層２２を有する構成である。なお、前記記録層２１内には多数のデータ情報を示すホログラムが、干渉縞（市松模様状の２次元的なドットパターン）として記録角度を変えた状態で多重に記録されている。このため、前記再生光Ｌ４には前記干渉縞によるデータ情報が含まれている。
【００３４】
前記再生手段１５は、前記記録媒体２０から出力される前記再生光Ｌ４の光路上に設けられている。前記再生手段１５としては、例えばＣＣＤやＣＭＯＳイメージセンサなどを用いることが可能である。前記再生光Ｌ４が所定の入射角θで前記再生手段１５に照光されると、前記再生手段１５が前記再生光Ｌ４に含まれる多数のデータ情報のうち、前記入射角θと前記再生光Ｌ４の波長λとによる関係が所定のブラック条件式に合致する位置に記録されたデータ情報のみを読み出すことが可能とされている。
【００３５】
そして、前記反射ミラー駆動手段１４を駆動させ、前記反射ミラー１３の角度を微調整することにより、記録媒体２０に入射する参照光Ｌ３の入射角θを変えることができるため、前記記録媒体２０の記録層２１に多重に記録されている個々のデータ情報をそれぞれ読み出すことが可能となる。
【００３６】
ここで図２に示すように、変換レンズ１２を中心に、前記前記光源１１が設けられているＸ２側を入射側、反射ミラー１３が設けられているＸ１側を射出側と定義した場合、前記変換レンズ１２は前記射出側（Ｘ１側）の面（以下、「射出面」という。）１２ａが図示Ｘ１方向に向かって凸状に突出する凸面で形成され、入射側（Ｘ２側）の面（以下、「入射面」という。）１２ｂが平面または図示Ｘ１方向に向かって凹状に窪む凹面で形成された順メニスカスレンズが好ましい。
【００３７】
図２に示すように、このような順メニスカスレンズで形成された前記変換レンズ１２では、入射面１２ｂが平面である場合には、レンズに入射した光（レーザ光Ｌ１）の延長線（実線）Ｌ１ａとレンズから射出する光（参照光Ｌ２）の交点Ｐ１，Ｐ１から下ろした垂線と前記光軸Ｏ−Ｏとの交点である主点Ｑ１が、少なくともレンズの板厚方向（Ｘ方向）の中心１２Ａよりも射出側に位置するようになる。また入射面１２ｂが凹面である場合には、レンズに入射した光（レーザ光Ｌ１）の延長線（点線）Ｌ１ｂとレンズから射出する光（参照光Ｌ２）の交点Ｐ２，Ｐ２から下ろした垂線と前記光軸Ｏ−Ｏとの交点である主点Ｑ２が、前記変換レンズ１２の射出側の外部に位置するようになる。
【００３８】
このため、前記光源１１（焦点）から前記主点Ｑ１又はＱ２までの距離である焦点距離Ｗ１又はＷ２内に前記変換レンズ１２のほとんどの部分を配置することができる。よって、ホログラム型再生装置１０を形成する光学系のシステムの全体を小型化することが可能である。
【００３９】
また前記変換レンズ１２を構成する順メニスカスレンズは、上記従来の説明の欄で説明した逆メニスカスと異なり一度レーザ光Ｌ１の直径を光軸方向に絞る必要がない。このため、前記レーザ光Ｌ１が透過する変換レンズ１２の有効径を小さくすることができ、さらには外形寸法を小さく抑えることが可能となる。
【００４０】
また前記変換レンズ１２は、ガラス製の単レンズとして射出面１２ａと入射面１２ｂとが一体に形成されたものが好ましい。このようにすると、例えば２枚以上のレンズを組み合わせたカップリングレンズに比較し、所定の動作温度範囲における収差レベルを一定値以下に保証することが可能となる。また容易且つ安価に製造することができるとともに小型化及び軽量化も図ることが可能となる。
【００４１】
また凸面となる前記射出面１２ａは非球面として形成されたものが好ましく、さらに入射面１２ｂが凹面で形成されている場合には前記入射面１２ｂも非球面で形成される構成が好ましい。このように、少なくとも変換レンズ１２の射出面１２ａを非球面で形成すると、参照光Ｌ２の収差を小さくすることが可能となる。
【００４２】
ところで、環境温度変化により前記記録媒体２０が変形すると、前記記録層２１内に記録されている干渉縞のピッチ寸法も伸縮を起すため、これまでと同じ波長λからなる参照光Ｌ２を同じ入射角θで前記記録媒体２０に入射させても所定の関係（ブラック条件式）を満たさなくなり、結果として前記データ情報を正しく読み出せなくなる場合がある。
【００４３】
そこで、以下には記録媒体２内に記録されている干渉縞が伸縮を起した場合であっても正しい再生を可能とするホログラム型再生装置について説明する。
【００４４】
図３は、本発明のホログラム型再生装置に用いられる光源についての第１の構成例を示す分解斜視図、図４は第２の構成例を示す分解斜視図である。
【００４５】
図３に示すように光源１１は、複数のレーザ発光手段３１を備えた光源ユニット３０として構成されている。
【００４６】
前記光源ユニット３０は、ベース基台３２と前記ベース基台３２上に位置決めされて固定される補助基台３３とを有している。前記ベース基台３２の表面には複数のレーザ発光手段３１ａ，３１ｂ，３１ｃ，３１ｄが所定の直線上に沿って並ぶ１次元アレイとして固定されている。各レーザ発光手段３１ａ，３１ｂ，３１ｃ，３１ｄは近接するが互いに異なる波長帯域からなるレーザ発光手段である。前記波長帯域は、隣り合うレーザ発光手段間でオーバーラップすることのない構成が好ましいが、わずかにオーバーラップする構成であってもよい。
【００４７】
このような構成の光源ユニット３０では、環境温度の変化によって記録媒体中に記録された干渉縞のピッチ寸法に伸縮が生じた場合であっても、前記異なる波長を有するレーザ発光手段３１ａ，３１ｂ，３１ｃ，３１ｄの中からいずれか最適な一のレーザ発光手段３１を選択して使用すれば、参照光Ｌ２の入射角θと波長λとの関係が所定の関係（ブラック条件式）が満たされるようになるため、データ情報を正確に読み出すことができるようになる。すなわち、光源１１側の波長可変範囲を広げることができるため、温度変動にも対応したホログラム型再生装置を提供することが可能となる。
【００４８】
ただし、上記実施の形態では複数のレーザ発光手段３１ａ，３１ｂ，３１ｃ，３１ｄが一列に並ぶ構成（１次元アレイ）であるため、光軸Ｏ−Ｏに近い内側に位置するレーザ発光手段３１ｂ，３１ｃに比較して、その外側に位置するレーザ発光手段３１ａ，３１ｄによる像高の方が大きくなり、結果として収差が大きくなる。
【００４９】
そこで、図４に第２の構成例として示すものでは、前記ベース基台３２の表面に、各レーザ発光手段３１ａ，３１ｂ，３１ｃ，３１ｄの各々を等しく光軸Ｏ−Ｏに近づけ、前記光軸Ｏ−Ｏから等距離の位置に周設された平面的な２次元アレイとして形成している。
【００５０】
図４に示す実施の形態に示すものでは、各レーザ発光手段３１ａ，３１ｂ，３１ｃ，３１ｄによって発生する像高は、上記第１の構成例（図３）の１次元アレイにおける最大像高の約１／３程度とすることができ、収差を一定レベル以下に低く抑えることが可能となる。
【００５１】
また図３および図４に示すものでは、前記補助基台３３のステージ３３Ａ上に前記レーザ発光手段３１ａ，３１ｂ，３１ｃ，３１ｄに対応する孔３３ａを形成し、各孔３３ａ内に例えば平凸レンズからなるマイクロレンズ３４（３４ａ，３４ｂ，３４ｃ，３４ｄ）を設けた構成としている。
【００５２】
前記補助基台３３は、ベース基台３２の端面上でスライドさせて位置決めすることにより、各レーザ発光手段３１ａ，３１ｂ，３１ｃ，３１ｄに光軸上にマイクロレンズ３４ａ，３４ｂ，３４ｃ，３４ｄを配置することが可能となっている。
【００５３】
図５は光路上にマイクロレンズを配置した場合における図２同様の説明図である。
図５に示すように、レーザ発光手段３１（レーザ発光手段３１ａ，３１ｂ，３１ｃ，３１ｄのいずれか）から放射されたレーザ光Ｌ１は、これに対応するマイクロレンズ３４においてビーム径が拡大された状態で、変換レンズ１２に向けて射出される。そして、前記変換レンズ１２においてさらに拡大された後の平行な光である参照光Ｌ２に変換される。
【００５４】
前記レーザ発光手段３１はＶＣＳＥＬ（面発光レーザ）であるため、そのビーム径φ１は前記変換レンズ１２の有効径φ２に比較して極めて小さい（φ２＞＞φ１）。このため、前記マイクロレンズ３４を使用しないで前記レーザ発光手段３１から出力されたレーザ光Ｌ１を前記変換レンズ１２に直接入射させると、前記変換レンズ１２から出力される参照光Ｌ２の強度分布が不均一となる。しかし、本実施の形態に示すように、変換レンズ１２に入射する前に、あらかじめ前記レーザ発光手段３１から出力されたレーザ光Ｌ１のビーム径φ１を前記マイクロレンズ３４で拡大させておくと、前記変換レンズ１２から出力される参照光Ｌ２の強度分布を均一化させることができる。
【００５５】
次に、上記光源ユニット３０を有する光学系ユニットの組み立て方法について説明する。
【００５６】
図６は光学系システムの分解斜視図、図７は図６の光学系ユニットを組み立てた状態を示す断面図である。
【００５７】
図１に示す光学系ユニットは、前記光源ユニット３０と、変換レンズ１２と、前記光源ユニット３０と変換レンズ１２との位置関係を位置決めするための固定基台４０とから構成されている。
【００５８】
前記光源ユニット３０は上記図４に示すものと同様であり、２次元アレイ型のレーザ発光手段３１ａ，３１ｂ，３１ｃ，３１ｄと、これらに対応するマイクロレンズ３４ａ，３４ｂ，３４ｃ，３４ｄを有している。なお、光源ユニット３０を形成するベース基台３２のＺ１側およびＺ２側の面には、Ｚ方向に直線的に貫通する貫通孔３２ａ，３２ａが形成されている。
【００５９】
前記変換レンズ１２は順メニスカスレンズであり、その外周がレンズ鏡筒１６の内壁に保持された状態で固定されている。
【００６０】
また固定基台４０は、直方体形状のアルミニウムなどをダイカスト成形するなどして形成されており、図示Ｘ１側に設けられた第１の保持部４１と、図示Ｘ２側に設けられた第２の保持部４６とを有している。
【００６１】
前記第１の保持部４１は、図示Ｙ方向において互いに対向し合う側壁部４２ａ、４２ｂと、側壁部４２ａ、４２ｂの高さ方向の中間部付近から傾斜する傾斜面４３ａ，４３ｂとを有している。側壁部４２ａと側壁部４２ｂとの対向距離Ｔは、前記レンズ鏡筒１６の外形寸法Ｒよりもわずかに大きく設定されている。前記傾斜面４３ａと傾斜面４３ｂとはＸ１側から見たときに略Ｖ字状を形成しており、前記第１の保持部４１の内部に前記変換レンズ１２を装着すると、前記レンズ鏡筒１６の外面が両傾斜面４３ａ，４３ｂと両側壁部４２ａ，４２ｂの間に挟まれた状態で保持されるようになっている。
【００６２】
また前記第１の保持部４１の前記両側壁部４２ａ，４２ｂには、両側壁部４２ａ，４２ｂの前記対向距離Ｔを互いに接近させて形成したストッパ壁４４ａ，４４ｂが形成されている。このため、前記変換レンズ１２をＸ２方向に移動させて前記レンズ鏡筒１６のＸ２側の端面を前記ストッパ壁４４ａ，４４ｂに押し付けることにより、前記変換レンズ１２を前記第１の保持部４１内に位置決めすることが可能となっている。なお、位置決めが完了した前記変換レンズ１２は、前記両側壁部４２ａ，４２ｂ、両側壁部４２ａ，４２ｂおよびストッパ壁４４ａ，４４ｂとの間でＵＶ系の接着剤を用いて固定される。
【００６３】
前記第２の保持部４６は、固定基台４０のＸ２側の端面にはＸ１方向に向かって所定の内径寸法で刳り貫かれた貫通穴４７が形成されている。前記貫通穴４７のＺ１側の面には、Ｘ方向に延びる略Ｕ次形状からなる調整凹部４８が一体に形成されている。
【００６４】
光源ユニット３０は、前記第２の保持部４２の貫通穴４７内に装着される。前記貫通穴４７の内径寸法は、前記光源ユニット３０のベース基台３２の外形寸法よりもわずかに大きな寸法で形成されている。このため、光源ユニット３０を前記貫通穴４７に沿って図示Ｘ方向に移動させることが可能とされている。
【００６５】
このため、例えば図７に点線で示すように、前記固定基台４０の外部から調整凹部４８に調整用の移動ピン５１を挿入すると、その先端部側を前記ベース基台３２の貫通孔３２ａ，３２ａ内に挿通させることができる。このようにすると、前記移動ピン５１をＸ１またはＸ２方向に移動させることにより、光源ユニット３０全体を光軸方向（Ｘ方向）に移動させることができる。このため、前記変換レンズ１２から射出される参照光Ｌ２が精度の高い平行光となるように、前記光源ユニット３０内に設けられた光源１１を構成する各レーザ発光手段３１ａないし３１ｄと前記変換レンズ１２との間の距離Ｗの微調整を容易に行うことができる。なお、前記距離Ｗの微調整が完了した後には、ＵＶ系の接着剤を用いてベース基台３２が貫通穴４７内に固定される。
【００６６】
上記組み立て方法では、前記固定基台４０を用いることにより、光学ユニット３０の光軸の中心（各レーザ発光手段３１ａ，３１ｂ，３１ｃ，３１ｄの光軸の平均）と変換レンズ１２の光軸を一致させた状態で前記距離Ｗを合わせ込むことができる。すなわち、ＹおよびＺ方向の精度を確保しつつ光源ユニット３０を組み立てることができるため、全体としての組み立てを容易化することができる。
【００６７】
なお、上記組み立て方法は光源ユニット３０を第２の保持部４６の前記貫通穴４７内に固定した後に、第１の保持部４１側の変換レンズ１２をＸ方向に調整することにより、前記距離Ｗの微調整を行うものであってもよい。
【００６８】
上記実施の形態では、ホログラム用の記録媒体として反射型の場合を例示して説明したが、本発明はこれに限られるものではなく、透過型の記録媒体であってもよい。
【００６９】
また順メニスカスレンズ型の変換レンズを用いたホログラム型再生装置として再生装置の場合を例示して説明したが、本発明はこれに限られるものではなく、記録装置、あるいは記録と再生の両機能を備えた記録再生装置に用いられるものであってもよい。
【００７０】
また上記実施の形態では、ミラー駆動手段１４によって反射ミラー１３が１軸（図１ではＺ軸）回りに揺動させられる構成を示して説明したが、本発明はこれに限られるものではなく、これと直交する１軸を加えた２軸に対して揺動自在に駆動される構成であってもよい。この構成では、参照光の向きを立体的に変えることができる。
【図面の簡単な説明】
【００７１】
【図１】本発明における実施の形態として、ホログラム型再生装置の概略を示す構成図、
【図２】本発明の主要部としての変換レンズの説明図、
【図３】本発明のホログラム型再生装置に用いられる光源についての第１の構成例を示す分解斜視図、
【図４】図４は第２の構成例を示す分解斜視図、
【図５】光路上にマイクロレンズを配置した場合における図２同様の説明図、
【図６】光学系システムの分解斜視図、
【図７】図６の光学系ユニットを組み立てた状態を示す断面図、
【図８】従来例として、逆メニスカス型のコリメータレンズを採用した場合の説明図、
【符号の説明】
【００７２】
１０  ホログラム型再生装置
１１  光源
１２  変換レンズ（順メニスカスレンズ）
１２ａ  射出面
１２ｂ  入射面
１３  反射ミラー
１４  ミラー駆動手段
１５  再生手段
１６  レンズ鏡筒
２０  記録媒体
２１  記録層
２２  反射層
３０  光源ユニット
３１，３１ａ，３１ｂ，３１ｃ，３１ｄ  レーザ発光手段
３２  ベース基台
３３  補助基台
３４，３４ａ，３４ｂ，３４ｃ，３４ｄ  マイクロレンズ（平凹レンズ）
４０  固定基台
４１  第１の保持部
４２ａ、４２ｂ  側壁部
４３ａ，４３ｂ  傾斜面
４４ａ，４４ｂ  ストッパ壁
４６  第２の保持部
４７  貫通穴
４８  調整凹部
Ｏ  光軸
Ｑ，Ｑ１，Ｑ２  主点
【図１】
2006343567.tif 000003
【図２】
2006343567.tif 000004
【図３】
2006343567.tif 000005
【図４】
2006343567.tif 000006
【図５】
2006343567.tif 000007
【図６】
2006343567.tif 000008
【図７】
2006343567.tif 000009
【図８】
2006343567.tif 000010